(57)【特許請求の範囲】
【請求項１】
ノック式ボールペンを、チップ先端が出没する先端開口部側を挿入して陳列するためのノック式ボールペン用陳列ケースにおいて、ノック式ボールペンを挿入した際に、先端開口部と当接する当接壁板を、ノック式ボールペンの先端開口部を塞ぐことのない頂部および谷底部からなる波型状に形成したことを特徴とする、ノック式ボールペン用陳列ケース。
【請求項２】
ノック式ボールペンを、チップ先端が出没する先端開口部側を挿入して陳列するためのノック式ボールペン用陳列ケースにおいて、ノック式ボールペンを挿入した際に、先端開口部と当接する当接壁版の前方に敷板を配設し、該敷板を、ノック式ボールペンのチップ先端が出没する先端開口部側の表面に、前記先端開口部を塞ぐことのない頂部および谷底部からなる波型に形成したことを特徴とする、ノック式ボールペン用陳列ケース。
【請求項３】
ノック式ボールペンを、チップ先端が出没する先端開口部側を挿入して陳列するためのノック式ボールペン用陳列ケースにおいて、ノック式ボールペンを挿入した際に、先端開口部と当接する当接壁板を、該当接壁板を囲む周壁板の端面より内側の位置に設け、ノック式ボールペンの先端開口部の内径より小さくした貫通孔と、前記先端開口部の肉壁の厚さより小幅とした前記貫通孔の縁片とにより構成された網状に形成したことを特徴とする、ノック式ボールペン用陳列ケース。
【請求項４】
ノック式ボールペンを、チップ先端が出没する先端開口部側を挿入して陳列するためのノック式ボールペン用陳列ケースにおいて、ノック式ボールペンを挿入した際に、先端開口部と当接する当接壁版の前方に敷板を配設し、該敷板が、ノック式ボールペンの先端開口部の内径より小さくした貫通孔と、前記先端開口部の肉壁の厚さより小幅とした前記貫通孔の縁片とにより構成された網状に形成したものであり、当接壁板より離間させて配設したことを特徴とする、ノック式ボールペン用陳列ケース。
【発明の詳細な説明】
【０００１】
【発明の属する技術分野】
本発明は、ノック式ボールペンを、チップ先端が出没する軸筒の開口先端部側を挿入して陳列するためのノック式ボールペン用陳列ケースに関する。
【０００２】
【従来の技術】
従来より、ボールペン等を立てた状態でランダムに挿入して陳列するための、単なる箱形々形状の陳列ケースがある。こうした陳列ケースにノック式ボールペンを挿入して陳列する場合には、チップ先端が出没する先端開口部を底部に向けて挿入する。
【０００３】
【発明が解決しようとする課題】
ところで、通常、筆記具用インキには溶剤が含有されており、溶剤が蒸発することにより、インキが固化するという現象が起こる。ノック式ボールペンにおいては、非筆記時以外もチップ先端が出没する先端開口部が下向き状態で保管・携帯されていることが多いが、前記インキの固化現象により、チップ先端部分のインキが固化し、チップ先端をシールしてインキの垂れ下がり現象が防げられている。
【０００４】
ノック式ボールペンを、前述した陳列ケースに挿入して陳列する場合には、平坦に形成された底部により、ノック式ボールペンのチップ先端が出没する先端開口部が底部の底板に当接して塞がれてしまう。そのために、チップ先端回りの空気の流れが阻害され、インキの溶剤の蒸発が妨げられ、チップ先端部分のインキが乾き難くなってしまい、その結果、チップ先端からのインキの垂れ下がり現象が起こり、チップ先端および軸筒の先端開口部の回りをインキで汚してしまうという問題が起こることがある。透明の軸筒にあっては、先端開口部の内壁面のインキによる汚れは、顕著に露見してしまう。
【０００５】
本発明はこうした事実に鑑みてなされたもので、陳列するためにノック式ボールペンを陳列ケースにチップ先端が出没する先端開口部側を挿入した際に、該先端開口部が当接する陳列ケースの底板等により塞がれることのないようなノック式ボールペン用陳列ケースを得ることにある。
【０００６】
【課題を解決するための手段】
本発明は、
「１．ノック式ボールペンを、チップ先端が出没する先端開口部側を挿入して陳列するためのノック式ボールペン用陳列ケースにおいて、ノック式ボールペンを挿入した際に、先端開口部と当接する当接壁板を、ノック式ボールペンの先端開口部を塞ぐことのない頂部および谷底部からなる波型状に形成したことを特徴とする、ノック式ボールペン用陳列ケース。
２．ノック式ボールペンを、チップ先端が出没する先端開口部側を挿入して陳列するためのノック式ボールペン用陳列ケースにおいて、ノック式ボールペンを挿入した際に、先端開口部と当接する当接壁版の前方に敷板を配設し、該敷板を、ノック式ボールペンのチップ先端が出没する先端開口部側の表面に、前記先端開口部を塞ぐことのない頂部および谷底部からなる波型に形成したことを特徴とする、ノック式ボールペン用陳列ケース。
３．ノック式ボールペンを、チップ先端が出没する先端開口部側を挿入して陳列するためのノック式ボールペン用陳列ケースにおいて、ノック式ボールペンを挿入した際に、先端開口部と当接する当接壁板を、該当接壁板を囲む周壁板の端面より内側の位置に設け、ノック式ボールペンの先端開口部の内径より小さくした貫通孔と、前記先端開口部の肉壁の厚さより小幅とした前記貫通孔の縁片とにより構成された網状に形成したことを特徴とする、ノック式ボールペン用陳列ケース。
４．ノック式ボールペンを、チップ先端が出没する先端開口部側を挿入して陳列するためのノック式ボールペン用陳列ケースにおいて、ノック式ボールペンを挿入した際に、先端開口部と当接する当接壁版の前方に敷板を配設し、該敷板が、ノック式ボールペンの先端開口部の内径より小さくした貫通孔と、前記先端開口部の肉壁の厚さより小幅とした前記貫通孔の縁片とにより構成された網状に形成したものであり、当接壁板より離間させて配設したことを特徴とする、ノック式ボールペン用陳列ケース。」
と、するものである。
【０００７】
本発明において当接壁板とは、ノック式ボールペン用陳列ケースにノック式ボールペンを、チップ先端が出没する先端開口部側を挿入した際に、先端開口部が当接する壁片であって、例えば、先端開口部を下向きにして立てた状態で陳列する場合には底板が当接壁板であり、ノック式ボールペンを寝かせた状態で陳列する場合には、ノック式ボールペンの先端開口部が当接する側板が当接壁板となる。必ずしも、底板が当接壁板であるとは限らない。
【０００８】
【発明の実施の形態】
本発明の実施の形態を図面を用いて説明する。同一部材および同一箇所を示すものは、同一符号を付してある。図１および図２に示す実施の形態のノック式ボールペン用陳列ケース１は、四角形の箱型状である。底板２が、ノック式ボールペン３のチップ先端４が出没する先端開口部５が当接する当接壁板６である。
【０００９】
当接壁板６の前方には、一方の面を頂部７と谷底部８からなる波型９に形成した敷板１０を、波型９に形成した面を内方に向けて配設してある。頂部７は平坦に形成してあるが、その幅はノック式ボールペン３のチップ先端４が出没する先端開口部５の内径より小幅としてある。谷底部８は、Ｖ字型形状となるように設けてある。図１に示した波型９は、隣り合う頂部７間にノック式ボールペン３の先端開口部５の部分が没入可能に設けてあるが、図示はしていないが、頂部７の幅を狭めるとともに頂部７のピッチ幅を狭めてノック式ボールペン３の先端開口部５の部分が複数の頂部７に載置するように設けても良い。ノック式ボールペン３の先端開口部５は、前記のように形成した波型９の敷板１０により塞がれることがない。
【００１０】
図３に示す実施の形態のノック式ボールペン用陳列ケース２１は、前記の実施の形態のノック式ボールペン用陳列ケース１と同様の四角形の箱型状に形成してあり、底板２２が当接壁板２３である。当接壁板２３の内壁面に、前記と同様の頂部７及び谷底部８からなる波型９を形成したものである。
【００１１】
図４および図５に示す実施の形態のノック式ボールペン用陳列ケース３１は、前記の実施の形態のノック式ボールペン用陳列ケース１と同様の四角形の箱型状に形成してある。底板３２である当接壁板３３の前方には、一方の面を、図５に示すような頂部３４をＲ状とし谷底部３５の幅をノック式ボールペン３の先端開口部５の外径より小幅となるように、Ｒ状に形成した凸部からなる波型３６に形成した敷板３７を、波型３６に形成した面を内方に向けて配設してある。図４における波型３６は、隣り合う頂部３４にノック式ボールペン３の先端開口部５の部分が没入可能に設けてあるが、図示はしていないが、Ｒ状の頂部３７を小径に形成するとともにＲ状の凸部のピッチ幅を狭めてノック式ボールペン３の先端開口部５の部分が複数の頂部３４に載置するように設けても良い。ノック式ボールペン３の先端開口部５は、頂部３４はＲ状に形成してあり、谷底部３５にノック式ボールペン３の先端開口部５が当接することがないので、塞がれることがない。
【００１２】
図６に示す実施の形態のノック式ボールペン用陳列ケース４１は、前記の実施の形態のノック式ボールペン用陳列ケース１と同様の四角形の箱型状に形成してあり、底板４２である当接壁板４３に、前記と同様の頂部３４と谷底部３５からなる波型３６に形成したものである。
【００１３】
図７および図８に示す実施の形態のノック式ボールペン用陳列ケース５１は、前記の実施の形態のノック式ボールペン用陳列ケース１と同様の四角形の箱型状に形成してある。底板５２である当接壁板５３には、内方に突出した２条の突部５４を形成してある。図８に示すように、２点差線で示したノック式ボールペン３の先端開口部５の内径：ｒより小さくした四角形状の貫通孔５５を、該貫通孔５５の横縁片５６ａ、縦縁片５６ｂがノック式ボールペン３の先端開口部５の肉壁の厚さ：ｄより小幅となるように縦横に配列させた格子状５７に形成した敷板５８を、前記突部５４に載置し、当接壁板５３より離間させて配設してある。ノック式ボールペン３の先端開口部５は、前記敷板５８に当接しても、前記のように構成してあるので、塞がれることがない。
【００１４】
図示しないが、他の実施の形態として、前記の実施の形態のノック式ボールペン用陳列ケース５１における敷板５８を、貫通孔５５や縁片５６ａ、５６ｂの寸法関係と同様となるような網目状に構成した敷板としても良い。網目状に編んで構成した敷板は、平坦面に載置した場合に、網目を構成する線部分の全面が平坦面に密に接することがないので、網目をノック式ボールペンの先端開口部で塞いでも、先端開口部は隣の網目から空気の流通が可能なので、チップ先端部分のインキが充分に乾くだけの空気の流通が得られるのであれば、当接壁板と接するように配設しても良い。
【００１５】
図９に示す実施の形態のノック式ボールペン用陳列ケース６１は、前記実施の形態のノック式ボールペン用陳列ケース１と同様の四角形の箱型状に形成してあり、底板６２を当接壁板６３としてある。当接壁板６３を側板６４の端面６４ａより内側の位置に設け、当接壁板６３に前記敷板５８と同様の貫通孔５５により構成された格子状５７に形成したものである。ノック式ボールペン３の先端開口部５は、当接壁板６３に当接しても、前記のように構成してあるので、塞がれることがない。
【００１６】
【発明の効果】
本発明は前述したような構成のノック式ボールペン用陳列ケースなので、ノック式ボールペンを、チップ先端が出没する先端開口部側を挿入して陳列しても、ノック式ボールペンの先端開口部が塞がれることがないので、空気が流通してチップ先端部分のインキが固化し、チップ先端をシールするので、インキの垂れ下がり現象が発生せず、チップ先端や軸筒の先端開口部の回りをインキで汚すことがない。
【図面の簡単な説明】
【図１】本発明の実施の形態を示す、ノック式ボールペン用陳列ケースの断面図である。
【図２】前記実施の形態のノック式ボールペン用陳列ケースにおける、波型の敷板の斜視図である。
【図３】本発明の他の実施の形態を示す、ノック式ボールペン用陳列ケースの断面図である。
【図４】本発明のその他の実施の形態を示す、ノック式ボールペン用陳列ケースの断面図である。
【図５】図４に示す実施の形態のノック式ボールペン用陳列ケースにおける、波型の敷板の斜視図である。
【図６】本発明のその他の実施の形態を示す、ノック式ボールペン用陳列ケースの断面図である。
【図７】本発明のその他の実施の形態を示す、ノック式ボールペン用陳列ケースの断面図である。
【図８】図７に示す実施の形態のノック式ボールペン用陳列ケースの、格子状の敷板の斜視図である。
【図９】本発明のその他の実施の形態を示す、ノック式ボールペン用陳列ケースの断面図である。
【符号の説明】
１、２１、３１、４１、５１、６１  ノック式ボールペン用陳列ケース
３  ノック式ボールペン
４  チップ先端
５  先端開口部
６、２３、３３、４３、５３、６３  当接壁板
７、３４  頂部
８、３５  谷底部
９、３６  波型
１０、３７、５８  敷板
５４  突部
５５  貫通孔
５６ａ、５６ｂ  縁片
５７  格子状
【図１】
0004003850.tif 000002
【図２】
0004003850.tif 000003
【図３】
0004003850.tif 000004
【図４】
0004003850.tif 000005
【図５】
0004003850.tif 000006
【図６】
0004003850.tif 000007
【図７】
0004003850.tif 000008
【図８】
0004003850.tif 000009
【図９】
0004003850.tif 000010